(57)【特許請求の範囲】
【請求項１】
圧送水を水槽内に導入するための水導入パイプであって、基端開口部を有する管状本体部の先端に左右両側に開口部を有する円筒形状部が設けられ、更に、この円筒形状部は前記水槽内の所定深さ位置において水平に配設されるものであり、この円筒形状部の周面部に前記管状本体部が立設され、また、この円筒形状部の内周面に前記管状本体部の先端開口部が開口し、前記管状本体部から圧送水が供給された際、この圧送水は前記円筒形状部の内周面に沿って回転流となりながら該円筒形状部の長さ方向に移動し左右両側の開口部から水平に送出されるように構成されていることを特徴とする水導入パイプ。
【請求項２】
請求項１記載の水導入パイプにおいて、前記円筒形状部の内周面は長さ方向中央が最大凹部となる凹湾曲面に設定されていることを特徴とする水導入パイプ。
【請求項３】
請求項１，２いずれか１項に記載の水導入パイプにおいて、前記管状本体部の先端開口部の開口は、前記円筒形状部の内周面の長さ方向中央であることを特徴とする水導入パイプ。
【請求項４】
請求項１〜３いずれか１項に記載の水導入パイプにおいて、前記管状本体部は、水圧送部から延設される送水管に接続される第一管状部と、この第一管状部の先端部に折り返し部を介して連設され、先端部に前記先端開口部が設けられた第二管状部とから構成され、この第二管状部の先端部が前記円筒形状部に設けられていることを特徴とする水導入パイプ。
【請求項５】
請求項４記載の水導入パイプにおいて、前記水槽の上縁部に前記折り返し部を掛け止め状態とした際、前記第二管状部の前記先端開口部は下方向きとなるように構成されていることを特徴とする水導入パイプ。
【請求項６】
請求項１〜５いずれか１項に記載の水導入パイプにおいて、前記管状本体部及び前記円筒形状部は適宜な透明部材で構成されていることを特徴とする水導入パイプ。
【発明の詳細な説明】
【技術分野】
【０００１】
本発明は、例えば水槽内の水を浄化する水浄化装置で浄化された浄化水を水槽内に導入するための水導入パイプに関するものである。
【背景技術】
【０００２】
従来から、例えば水槽内で魚を飼育したり水草を育成したりする際の当該水槽内の水を浄化する水浄化システムが提案されている。
【０００３】
この水浄化システムは、水槽内に配される吸水部（吸水パイプ）と、この吸水部で吸水した水を浄化し浄化水を圧送する水浄化圧送部（フィルターを具備したポンプ）と、この浄化水を水槽内に戻す水導入部（水導入パイプ）とを具備した水循環式浄化構造である。
【０００４】
ところで、この水浄化圧送部から圧送される浄化水は、そのままの勢いで水導入部から水槽内に導入すると、勢いが強すぎることにより魚の飼育や水草の育成に支障が生じる場合があるため、この水導入部から導入する水の勢いを低減したいという要求がある。尚、水導入部から導入する水の勢いを低減する方法として、ポンプの出力を弱めることも考えられるが、実際には、水槽内の水量に合った時間当たりの循環水量が決まる為、ポンプの出力を弱めることはできない。
【０００５】
そこで、従来においては、水の勢いを低減する工夫を具備した水導入部として、例えば特開２００６−２７１２５４号に提案されるような水導入パイプ（以下、従来例）が提案されている。
【０００６】
具体的には、この従来例は、水浄化圧送部から圧送される浄化水の送水管に接続されるもので、ストレート状の管状本体の周面に複数の導水孔を並設した構造であり、この従来例を水槽の上部開口部に水平状態に配し、各導水孔から水をシャワー状に導出することで、浄化水の勢いを低減するものである。
【先行技術文献】
【特許文献】
【０００７】
【特許文献１】特開２００６−２７１２５４号公報
【発明の概要】
【発明が解決しようとする課題】
【０００８】
しかしながら、従来例は、その構造上、水槽上部に水平方向に長く突出することになるため広い設置スペースが必要であり、例えば水槽上部に照明装置を設置する際の邪魔となる場合がある。
【０００９】
また、従来例は、水槽上部に水平方向に長く突出する為、水槽内の洗浄や水草の手入れなどのメンテナンスする際の邪魔となる場合もある。
【００１０】
本発明は、前述した問題点を解消する、極めて商品価値の高い画期的な水導入パイプを提供する。
【課題を解決するための手段】
【００１１】
添付図面を参照して本発明の要旨を説明する。
【００１２】
圧送水Ｗ２を水槽１内に導入するための水導入パイプであって、基端開口部４ｂを有する管状本体部４の先端に左右両側に開口部５ｂを有する円筒形状部５が設けられ、更に、この円筒形状部５は前記水槽１内の所定深さ位置において水平に配設されるものであり、この円筒形状部５の周面部に前記管状本体部４が立設され、また、この円筒形状部５の内周面５ａに前記管状本体部４の先端開口部４ａが開口し、前記管状本体部４から圧送水Ｗ２が供給された際、この圧送水Ｗ２は前記円筒形状部５の内周面５ａに沿って回転流となりながら該円筒形状部５の長さ方向に移動し左右両側の開口部５ｂから水平に送出されるように構成されていることを特徴とする水導入パイプに係るものである。
【００１３】
また、請求項１記載の水導入パイプにおいて、前記円筒形状部５の内周面５ａは長さ方向中央が最大凹部となる凹湾曲面に設定されていることを特徴とする水導入パイプに係るものである。
【００１４】
また、請求項１，２いずれか１項に記載の水導入パイプにおいて、前記管状本体部４の先端開口部４ａの開口は、前記円筒形状部５の内周面５ａの長さ方向中央であることを特徴とする水導入パイプに係るものである。
【００１５】
また、請求項１〜３いずれか１項に記載の水導入パイプにおいて、前記管状本体部４は、水圧送部２から延設される送水管８に接続される第一管状部４Ａと、この第一管状部４Ａの先端部に折り返し部４Ｂを介して連設され、先端部に前記先端開口部４ａが設けられた第二管状部４Ｃとから構成され、この第二管状部４Ｃの先端部が前記円筒形状部５に設けられていることを特徴とする水導入パイプに係るものである。
【００１６】
また、請求項４記載の水導入パイプにおいて、前記水槽１の上縁部に前記折り返し部４Ｂを掛け止め状態とした際、前記第二管状部４Ｃの前記先端開口部４ａは下方向きとなるように構成されていることを特徴とする水導入パイプに係るものである。
【００１７】
また、請求項１〜５いずれか１項に記載の水導入パイプにおいて、前記管状本体部４及び前記円筒形状部５は適宜な透明部材で構成されていることを特徴とする水導入パイプに係るものである。
【発明の効果】
【００１８】
本発明は上述のように構成したから、圧送水の勢いを確実に低減することができ、また、コンパクトな構造であるから狭い設置スペースに効率良く設置することができ、しかも、水槽内の洗浄や水草の手入れなどのメンテナンスする際の邪魔にもならないなど、極めて商品価値の高い画期的な水導入パイプとなる。
【図面の簡単な説明】
【００１９】
【図１】本実施例を示す斜視図である。
【図２】本実施例を示す断面図である。
【図３】本実施例の要部を示す断面図である。
【図４】本実施例の要部の動作説明図である。
【図５】本実施例の使用状態説明図である。
【発明を実施するための形態】
【００２０】
好適と考える本発明の実施形態を、図面に基づいて本発明の作用を示して簡単に説明する。
【００２１】
圧送水Ｗ２は、管状本体部４を通過した後に先端開口部４ａから円筒形状部５に供給され、この圧送水Ｗは円筒形状部５の内周面５ａに沿って流れることで回転流となる。
【００２２】
この円筒形状部５で回転流となった圧送水Ｗは、円筒形状部５の側方から送出されるが、この際、例えば図３，４，５に図示したように予め円筒形状部５を水槽１内の水Ｗ１に没した状態としておけば、円筒形状部５の内周面５ａを流れることで回転流となった圧送水Ｗ２は、円筒形状部５内に存在する水の抵抗を受けて勢いが低減された状態となり、この円筒形状部５から送出される。
【００２３】
従って、本発明は、圧送水Ｗ２の勢いを確実に低減して、水槽１内に導入することができる。
【００２４】
また、本発明は、前述した従来例の長尺な構造に比し、例えば水槽１の上部に配しても水平方向に長く突出しないコンパクトな構造であるから狭い設置スペースに効率良く設置することができる。
【実施例】
【００２５】
本発明の具体的な実施例について図面に基づいて説明する。
【００２６】
本実施例は、水圧送部２から圧送された圧送水Ｗ２を水槽１内に導入するための水導入パイプ３である。
【００２７】
尚、本実施例では、水圧送部２は、水を浄化する水浄化システムにおける水循環ポンプ（フィルターを具備した水濾過装置）であり、この水圧送部２の水導入部２ａには、水槽１内に配される吸水部６（ガラス製の吸水パイプ）に接続される送水管７（合成樹脂製管体）が設けられるとともに、水圧送部２の水導出部２ｂには、水槽１内に配される本実施例（水導入パイプ３）に接続する送水管８（合成樹脂製管体）が設けられている。よって、吸水パイプ６から吸水された水Ｗ１は、送水管７を介して水圧送部２に送られて該水圧送部２で浄化され、この水圧送部２で浄化され圧送された圧送水Ｗ２は送水管８を介して水導入パイプ３へ送られ、この水導入パイプ３から水槽１内に導入される。また、水槽１とは、図５に図示したようなガラス製の水槽の他、人工池のようなコンクリート槽など、水を収納する容状体を意味する。
【００２８】
具体的には、本実施例は、適宜な透明部材（ガラス）で一体成形した断面円形のパイプであり、水圧送部２から圧送された圧送水Ｗ２を入水する基端開口部４ｂを有する管状本体部４と、この管状本体部４の先端部に設けられ該管状本体部４の先端開口部４ａが開口する内周面５ａを有する円筒形状部５とを有するものである。尚、本実施例に係る水導入パイプは、透明部材に限らず有色部材でも良く、また、ガラス製に限らず合成樹脂製でも良い。
【００２９】
管状本体部４は、図１に図示したように水圧送部２から延設される送水管８に基端部（下端部）が接続されるストレート形状の第一管状部４Ａと、この第一管状部４Ａの先端部（上端部）に折り返し部４Ｂを介して基端部が連設され、先端部に先端開口部４ａが設けられた蛇行形状（Ｓ字形状）の第二管状部４Ｃとから構成されている。
【００３０】
この管状本体部４は、折り返し部４Ｂを水槽１の上縁部に掛け止め係止した状態とすることで当該水槽１に設置される。この管状本体部４を水槽１に設置した際、管状本体部４の先端開口部４ａは下方（斜め下）向きとなるように構成されている。即ち、管状本体部４（第二管状部４Ｃ）の先端部は円筒形状部５の上部に連設されるのが良い。
【００３１】
従って、先端開口部４ａから後述する円筒形状部５の内周面５ａに供給される圧送水Ｗは重力により下方に流れることになり、その後、円筒形状部５の内周面５ａに沿って図３中の矢印方向への回転流となる。
【００３２】
円筒形状部５は、図１〜３に図示したように左右両端が開口する円筒形状体であり、第二管状部４Ｃの先端部に設けられている。
【００３３】
また、円筒形状部５は、図４に図示したように内周面５ａは長さ方向凹湾曲面に設定されている（円筒形状部５の内周面５ａは長さ方向中央が最大凹部となる凹湾曲面に設定されている）。
【００３４】
また、前述した先端開口部４ａの開口は、円筒形状部５の内周面５ａの長さ方向中央となるように構成されている。
【００３５】
従って、この円筒形状部５の内周面５ａに沿って回転流となる圧送水Ｗ２は、後述する円筒形状部５（内周面５ａ）の左右側方の水送出開口部５ｂから出水するまで縮径方向に絞られるように移動して水送出開口部５ｂから送出される。
【００３６】
また、水送出開口部５ｂは、図４に図示したように円筒形状部５の側方にして該円筒形状部５の内周面５ａを境とした左右両端位置に設けられており、この水送出開口部５ｂは円筒形状部５の内周面５ａの再下位置（中央位置）を通過する円軌跡よりも径小に設定されている。
【００３７】
尚、水送出開口部５ｂは円筒形状部５の左右両側方に限らず、いずれか一方でも良いが、左右両側方に合った場合の方がより圧送水Ｗ２の勢いを低減することができる。
【００３８】
以上の構成から成る本実施例に係る水導入パイプ３の使用状態について説明する。
【００３９】
水槽１への設置は、水槽１の上縁部に折り返し係止部２Ｂを掛け止め係止し、円筒形状部５は水槽１内の水Ｗ１内に沈めた状態に配される。
【００４０】
この状態で、水圧送部２を作動させると、吸水パイプ６から吸水された水Ｗ１は、送水管７を介して水圧送部２に送られて該水圧送部２で浄化され、この水圧送部２で浄化され圧送された圧送水Ｗ２は送水管８を介して水導入パイプ３へ送られ、この水導入パイプ３から水槽１内に導入される。
【００４１】
この水導入パイプ３から圧送水Ｗ２が送出される状態について説明すると、水圧送部２から圧送される圧送水Ｗは、管状本体部４を通過した後に円筒形状部５に供給され、この管状本体部４の先端開口部４ａから供給された圧送水Ｗ２は円筒形状部５の内周面５ａに沿って流れることで回転流となる。
【００４２】
この円筒形状部５で回転流となった圧送水Ｗ２は、円筒形状部５の側方に設けられた水送出開口部５ｂから送出しようとするが、この際、図３，４，５に図示したように予め円筒形状部５は水槽１内の水Ｗ１に没した状態とされている為、円筒形状部５の内周面５ａを流れることで回転流となった圧送水Ｗ２は、円筒形状部５内に存在する水Ｗ１の抵抗を受けて勢いが低減された状態となり、この円筒形状部５で勢いが低減された圧送水Ｗ２が水送出開口部５ｂから水槽１内に送出される。
【００４３】
よって、本実施例によれば、水圧送部２から圧送される圧送水Ｗ２の勢いを確実に低減して、水槽１内に導入することができる。
【００４４】
また、本実施例は、前述した従来例の長尺な構造に比し、例えば水槽１の上部に配しても水平方向に長く突出しないコンパクトな構造であるから狭い設置スペースに効率良く設置することができる。
【００４５】
また、本実施例は、環状内周面５ａは長さ方向凹湾曲面に設定されているから、円筒形状部５内で良好な回転流を生じさせることができることになる。
【００４６】
また、本実施例は、水槽１の上縁部に折り返し部４Ｂを掛け止め状態とした際、第二管状部４Ｃに設けられる先端開口部４ａは下方向きとなるように構成されているから、前述した回転流を確実に生じさせることができる。
【００４７】
尚、本発明は、本実施例に限られるものではなく、各構成要件の具体的構成は適宜設計し得るものである。
【符号の説明】
【００４８】
Ｗ１  水
Ｗ２  圧送水
１  水槽
４  管状本体部
４ａ  先端開口部
４ｂ  基端開口部
４Ａ  第一管状部
４Ｂ  折り返し部
４Ｃ  第二管状部
５  円筒形状部
５ａ  内周面
８  送水管
【図１】
0005775055.tif 000002
【図２】
0005775055.tif 000003
【図３】
0005775055.tif 000004
【図４】
0005775055.tif 000005
【図５】
0005775055.tif 000006